(57)【要約】【課題】限られた植樹エリアに所定深さの孔を容易に形成できる開孔機を提供する。【解決手段】回転シャフト１４を回転させながらビット１５を地面に押接させてオーガスクリュ１６により掘削した土砂をガイド筒１９の排出口２０より筒外へ排出しながら所定深さの開口孔２２を形成する。【選択図】　図１
2004027699.tif 000002
【特許請求の範囲】
【請求項１】
街路樹が植樹された植樹エリア内で樹木の周囲に開口孔を形成する開孔機において、
開孔機本体に設けられた駆動源により回転可能に取付けられ、先端部にビットが設けられた回転シャフトと、
該回転シャフトの周囲に螺旋状に形成されたオーガスクリュと、
前記開孔機本体に一体に取り付けられ、下端部より前記ビットを突出させて回転シャフトを収納し、上端部に前記オーガスクリュにより搬送された土砂を排出する排出口が形成されたガイド筒とを備え、
前記ビットが地面に押動されたまま回転シャフトを回転させて掘進させ、掘削された土砂を前記オーガスクリュによりガイド筒内を搬送して排出口より筒外へ排出しながら所定深さの開口孔を形成することを特徴とする開孔機。
【請求項２】
前記回転シャフトの先端側には前記オーガスクリュに連続する掘削リングが連設されており、該掘削リングの掘削面にはチップが形成されていることを特徴とする請求項１記載の開孔機。
【請求項３】
前記ガイド筒の内壁には周方向に複数箇所に突設された突条部が軸方向に形成されていることを特徴とする請求項１記載の開孔機。
【請求項４】
前記開孔機本体は走行装置のブーム先端に着脱可能に吊下げ支持され、該ブームによりビットを地面に押動しながら回転シャフトを回転させて掘進することを特徴とする請求項１記載の開孔機。
【請求項５】
街路樹が植樹された植樹エリア内で保水性及び通気性を有する樹勢回復材を埋設する樹勢回復工法において、
請求項１乃至３の何れか１項に記載された開孔機を用いて、ビットを地面に押接させて、回転シャフトを回転駆動させながらビット及びオーガスクリュにより掘進して所定深さの開口孔を開孔する工程と、
前記開口孔に樹勢回復材を充填する工程と、
前記開口孔の周囲に排出された土砂を前記樹勢回復材の上面を露出させて埋め戻す工程とを含むことを特徴とする樹勢回復工法。
【請求項６】
前記樹勢回復材はメッシュ袋にパーライト材が充填されており、該樹勢回復材の地表面に露出する露出部が貫通孔を形成されたキャップ材により被覆されていることを特徴とする請求項５記載の樹勢回復工法。
【発明の詳細な説明】
【０００１】
【発明の属する利用分野】
本発明は街路樹が植樹された植樹エリア内で柱状体を埋設する開口孔を開孔する開孔機及び該開孔機を用いた樹勢回復工法に関する。
【０００２】
【従来の技術】
市街地の道路沿線や幹線道路の沿線には景観を高めるため、街路樹が所定間隔で植樹されている。これらの街路樹は、一般にコンクリートが敷設された路面より僅かに露出した地面に植樹されていることが多いため、十分に根をはり巡らすことができず、しかも保水力が不十分で手入れが十分行き届かないことなどから、立ち枯れ状態が進行し易い。また、猛暑や台風の通過などの気象条件の変化により樹木が傷み易く、枯れた樹木を植え直す場合も、バックホウなどの重機が入り込む余地がなく、人手による作業によれば遅々として作業が進まないのが現状である。
【０００３】
【発明が解決しようとする課題】
しかしながら、熱帯や乾燥地帯、砂丘などの元来生物が生息し難い環境下で緑地化を図る方法や緑化工法などは提案されてはいるが（例えば特開２０００−３２８４０号公報、特開平６−１９７６２６号公報など）、枯れかけた（樹勢が衰えた）街路樹を再生させる方法や工法については何ら提案されていないのが現状である。
街路樹はコンクリートに覆われた路面から僅かに露出する限られた植樹エリアに植樹されているため、バックホウなどのショベル系掘削機による作業がし難く、できるだけ植え替えよりも植樹されている樹木の樹勢を回復させることができれば、資源や工賃の無駄がなくしかも景観が改善するため望ましい。
【０００４】
本発明の目的は、上記従来技術の課題を解決し、限られた植樹エリアに所定深さの孔を容易に形成できる開孔機及び該開孔機を用いた簡易な工法で樹勢が衰えた街路樹を回復させる樹勢回復工法を提供することにある。
【０００５】
【課題を解決するための手段】
上記課題を解決するため、本発明は次の構成を備える。
即ち、開孔機においては、街路樹が植樹された植樹エリア内で樹木の周囲に開口孔を形成する開孔機において、開孔機本体に設けられた駆動源により回転可能に取付けられ、先端部にビットが設けられた回転シャフトと、該回転シャフトの周囲に螺旋状に形成されたオーガスクリュと、前記開孔機本体に一体に取り付けられ、下端部より前記ビットを突出させて回転シャフトを収納し、上端部に前記オーガスクリュにより搬送された土砂を排出する排出口が形成されたガイド筒とを備え、前記ビットが地面に押動されたまま回転シャフトを回転させて掘進させ、掘削された土砂を前記オーガスクリュによりガイド筒内を搬送して排出口より筒外へ排出しながら所定深さの開口孔を形成することを特徴とする。
また、前記回転シャフトの先端側には前記オーガスクリュに連続する掘削リングが連設されており、該掘削リングの掘削面にはチップが形成されていることを特徴とする。
また、前記ガイド筒の内壁には周方向に複数箇所に突設された突条部が軸方向に形成されていることを特徴とする。
また、前記開孔機本体は走行装置のブーム先端に着脱可能に吊下げ支持され、該ブームによりビットを地面に押動しながら回転シャフトを回転させて掘進することを特徴とする
【０００６】
また、街路樹が植樹された植樹エリア内で保水性及び通気性を有する樹勢回復材を埋設する樹勢回復工法においては、前述した開孔機を用いて、ビットを地面に押接させて、回転シャフトを回転駆動させながらビット及びオーガスクリュにより掘進して所定深さの開口孔を開孔する工程と、前記開口孔に樹勢回復材を充填する工程と、前記開口孔の周囲に排出された土砂を前記樹勢回復材の上面を露出させて埋め戻す工程とを含むことを特徴とする。
また、前記樹勢回復材はメッシュ袋にパーライト材が充填されており、該樹勢回復材の地表面に露出する露出部が、貫通孔を形成されたキャップ材により被覆されていることを特徴とする。
【０００７】
【発明の実施の形態】
以下、本発明の好適な実施の形態について添付図面と共に詳述する。
図１（ａ）（ｂ）は開孔機の断面説明図及び矢印Ａ−Ａ断面図、図２は開孔機を走行装置のブームに取り付けた状態を示す外観図、図３〜図５は樹勢回復工程を示す斜視説明図、平面説明図及び断面説明図である。
【０００８】
先ず、図１（ａ）（ｂ）及び図２を参照して開孔機の概略構成について説明する。図２において、１は開孔機であり、街路樹が植樹された植樹エリア内で樹木の周囲に開口孔を形成する。開孔機１は例えば地上を走行可能な無限軌道型走行装置２の作業側ブーム３の先端に吊下げ支持されている。具体的には、作業側ブーム３の先端部には連結治具４が支点５を中心に矢印Ｐ方向へ回動可能に設けられている。また、連結治具４には開孔機本体６が支点７を中心に矢印Ｑ方向へ回動可能に取り付けられている。
【０００９】
走行装置２には、エンジン、油圧ポンプ、油圧シリンダなどの油圧駆動機構や圧縮空気を内臓した駆動部や、作業者を収容して操作する運転台や、作業を行う本体側ブーム８及びこれを回動させる第１のシリンダ９が設けられている。具体的には、本体側ブーム８は走行装置２に設けられた支点軸１０を中心に回動可能に設けられ、第１のシリンダ９のシリンダロッド９ａが本体側ブーム８に連繋している。本体側ブーム８には第２のシリンダ１１が設けられており、シリンダロッド１１ａは作業側ブーム３に連繋している。走行装置２の油圧駆動機構より供給された油圧により、第１のシリンダ９を作動させ、本体側ブーム８を上昇させると共に、第２のシリンダ１１を作動させて作業側ブーム３の姿勢を垂直下方にすることで、開孔機１を地面に対して垂直方向に立てて支持することができる。開孔機１を地面に押動する場合には、第１のシリンダ９のシリンダロッド９ａを引きながら、第２のシリンダ１１のシリンダロッド１１ａを伸長させることにより開孔機１を地面に対してほぼ垂直に押動することができる。尚、作業側ブーム３には第３のシリンダ１２が設けられているが、本実施例では使用しない。
【００１０】
次に、開孔機１の構造について図１（ａ）（ｂ）を参照して説明する。開孔機本体６には、駆動源である油圧モータ１３が設けられている。この油圧モータ１３には、走行装置２の油圧駆動機構より油圧ホースを介して油圧が供給される。回転シャフト１４は油圧モータ１３により回転可能に取付けられている。この回転シャフト１４の先端には先端部が尖ったビット１５が設けられている。また、回転シャフト１４の周囲には螺旋状に形成されたオーガスクリュ１６が一体に設けられている。オーガスクリュ１６は、掘削した土砂を排出するために上方へ搬送するものである。回転シャフト１４の先端側にはオーガスクリュ１６に連続する掘削リング１７が連設されている。この掘削リング１７の掘削面にはチップ１８が回転方向に沿って形成されている。掘削リング１７は、樹木の周囲に開口孔を掘る際に、草木の根がオーガスクリュ１６にからみついて掘進できない場合があるため、該草木の根を切ってオーガスクリュ１６が進入し易くするために設けられている。
【００１１】
また、開孔機本体６にはガイド筒１９が垂下して一体に取り付けられている。ガイド筒１９には、下端部よりビット１５を突出させて回転シャフト１４が収納されている。また、ガイド筒１９の上端側にはオーガスクリュ１６により搬送された土砂を排出する排出口２０が形成されている。また、ガイド筒１９の内壁には周方向に複数箇所（本実施例では３箇所）に突設された突条部２１が軸方向に形成されている。この突条部２１は、オーガスクリュ１６によりガイド筒１９内を上方へ向かって土砂が搬送される際に、土砂が突条部２１により逆戻りしないように設けられている。
【００１２】
開孔機本体６は作業側ブーム３の先端に回動可能に吊下げ支持されたまま走行装置２のシリンダ操作によりビット１５を地面に押動させる。この状態で油圧モータ１３を起動して回転シャフト１４を回転させることによりビット１５を地中へ進入させる。そして、掘削リング１７及びオーガスクリュ１６により掘削した土砂を上方へ搬送してガイド筒１９の排出口２０より筒外へ排出しながら所定深さの開口孔を形成するようになっている。また、掘削後、ガイド筒１９内のオーガスクリュ１６上に残存する土砂は、回転シャフト１４を逆回転させることによりガイド筒１９内より容易に排出することができる。
【００１３】
上記開孔機１を用いれば、限られた植樹エリアに所定深さの孔を容易に開孔できる。また開孔機１は、一般に用いられる既存のバックホウなどの走行装置２のブーム先端に着脱して作業が行えるので、必要最小限の設備で作業場所を取らずに開孔作業が行える。
また、樹木や草花などの根が張り巡らされた場所であっても掘削リング１７のチップ１８により根を切断して掘進することができ、また掘削した土砂をガイド筒１９の内壁に設けられた突条部２１により後退することなく排出することができる。
【００１４】
次に街路樹が植樹された植樹エリア内で保水性及び通気性を有する樹勢回復材を埋設する樹勢回復工法について、図３〜図５を参照して説明する。
先ず、樹勢が衰えた樹木の周囲に植樹エリア開口孔を開孔する。具体的には、前述した走行装置２にブーム先端に設けた開孔機１を用いて、樹木の根元から外方に５０ｃｍ程度離れた場所でビット１５を地面に押接させて、回転シャフト１４を回転駆動させながら掘削リング１７及びオーガスクリュ１６により掘進して所定深さＬ（例えば６０ｃｍ程度）の開口孔２２を開孔する（図５参照）。このような開口孔２２を、樹木２３の周囲に４箇所程度形成する（図３参照）。尚、開口孔２２の形成により掘削された土砂は、開口孔２２の近傍に排出して堆積される。
【００１５】
次に、開口孔２２に樹勢回復材を充填する。具体的には、保水性及び通気性を有するパーライト材がメッシュ袋に充填された樹勢回復材２４が充填される。この樹勢回復材２３の地表面に露出する露出部には、貫通孔２５が形成されたキャップ材２６を被覆するようにする（図４参照）。
【００１６】
次いで、開口孔２２の周囲に排出された土砂をキャップ材２５の上面を露出させて周囲に埋め戻す。これにより、植樹エリアの外観を損なうことがなく、しかも樹木２３の根に対する通気性や保水性を損なうこともない。また、給水する場合や養分を補給する場合も、キャップ材２５の貫通孔２４を通じて若しくはキャップ材２５を外して行うことができるので、定期的かつ簡易な保守作業により樹勢回復効果が期待できる。
【００１７】
上記樹勢回復工法によれば、開孔機１を用いた簡易な工法で樹勢が衰えた街路樹を回復させることができる。また、樹勢回復材２３への定期的かつ簡易な保守作業により樹勢回復効果が期待できる。
【００１８】
以上、本発明の好適な実施例について述べてきたが、本発明は上述した各実施例に限定されるものではなく、開孔機１はショベルル系掘削機の掘削機本体を共用したが、専用機としても良い等、発明の精神を逸脱しない範囲で多くの改変を施し得るのはもちろんである。
【００１９】
【発明の効果】
本発明に係る開孔機を用いれば、限られた植樹エリアに所定深さの孔を容易に開孔できる。また開孔機は、一般に用いられるバックホウなどのブーム先端に着脱して作業が行えるので、必要最小限の設備で作業場所を取らずに開孔作業が行える。また、樹木や草花などの根が張り巡らされた場所であっても掘削リングのチップにより根を切断して掘進することができ、また掘削した土砂をガイド筒の内壁に設けられた突条部により後退することなく筒外へ排出することができる。また、開孔機を用いた樹勢回復工法によれば、簡易な工法で樹勢が衰えた街路樹を回復させることができる。また、樹勢回復材への定期的かつ簡易な保守作業により樹勢回復効果が期待できる。従って、資源や工賃の無駄がなく安価で街路樹などの景観を改善することができる。
【図面の簡単な説明】
【図１】開孔機の断面説明図及び矢印Ａ−Ａ断面図である。
【図２】開孔機を走行装置のブームに取り付けた状態を示す外観図である。
【図３】樹勢回復工程を示す斜視説明図である。
【図４】樹勢回復工程を示す平面説明図である。
【図５】樹勢回復工程を示す断面説明図である。
【符号の説明】
１　開孔機
２　走行装置
３　作業側ブーム
４　連結治具
５、７支点
６　開口機本体
８　本体側ブーム
９　第１のシリンダ
１０　支点軸
１１　第２のシリンダ
１２　第３のシリンダ
１３　油圧モータ
１４　回転シャフト
１５　ビット
１６　オーガスクリュ
１７　掘削リング
１８　チップ
１９　ガイド筒
２０　排出口
２１　突条部
２２　開口孔
２３　樹木
２４　樹勢回復材
２５　貫通孔
２６　キャップ材
【図１】
2004027699.tif 000003
【図２】
2004027699.tif 000004
【図３】
2004027699.tif 000005
【図４】
2004027699.tif 000006
【図５】
2004027699.tif 000007